(57)【要約】【課題】コンパクトで且つ安価な構成で、商品の販売価格に加えて、商品の冷温状態等の商品に関連する情報を表示可能な、自動販売機の表示装置を提供する。【解決手段】自動販売機の表示装置１１は、商品の販売価格を表示する価格表示部１２と発光部１３とを備える。発光部１３は、価格表示部１２の前面に配置される導光板２３と、導光板２３の延長部５２の後端面５２ａに光を入射する暖色系のＬＥＤ素子３９及び寒色系のＬＥＤ素子４０と、導光板２３の通過光の少なくとも一部を反射して導光板２３の前面から外部に出射させる反射部と、を有する。導光板２３の上端面５５は、導光板２３の上側から下側に向かうほど前方に向かうように傾斜している。【選択図】図４
2015036949.tif 000002
【特許請求の範囲】
【請求項１】
商品の販売価格を表示する価格表示部と発光部とを備える自動販売機の表示装置であって、
前記発光部は、
前記価格表示部の前面に配置される第１導光板と、
該第１導光板の一端面に光を入射する光源と、
前記第１導光板の通過光の少なくとも一部を反射して前記第１導光板の前面から外部に出射させる反射部と、
を有する、
自動販売機の表示装置。
【請求項２】
前記光源は単数色又は複数色の発光素子を含む、請求項１に記載の自動販売機の表示装置。
【請求項３】
前記第１導光板の他端面は、前記第１導光板の他端側から一端側に向かうほど前方に向かうように傾斜している、請求項２に記載の自動販売機の表示装置。
【請求項４】
前記第１導光板は、前記価格表示部の前面に配置される平板状の本体部と、該本体部の一端部より後方に張り出す延長部とを含み、該延長部の後端面が前記第１導光板の一端面を構成して、前記光源が前記延長部の後端面に光を入射する、請求項２又は請求項３に記載の自動販売機の表示装置。
【請求項５】
前記第１導光板には、その本体部の前面のうち後方に前記光源が位置する部分に遮光部材が設けられている、請求項４に記載の自動販売機の表示装置。
【請求項６】
前記複数色の発光素子は暖色系の発光素子と寒色系の発光素子とを含む、請求項２〜請求項５のいずれか１つに記載の自動販売機の表示装置。
【請求項７】
前面に開口部を有して前記価格表示部及び前記発光部を収納する収納ケースを更に備え、
前記第１導光板は、前記収納ケースの前面開口部を塞ぐように前記収納ケースに設けられ、
前記収納ケースは、その上端部に、下方に向かうほど前方に向かうように傾斜する傾斜面を有し、
前記収納ケースには、前記傾斜面に配置される磁性材料からなるプレート部材を保持可能なマグネットが設けられている、請求項１〜請求項６のいずれか１つに記載の自動販売機の表示装置。
【請求項８】
前記収納ケースは、前記プレート部材の位置決めを行う位置決め部を有する、請求項７に記載の自動販売機の表示装置。
【請求項９】
前面に開口部を有して前記価格表示部及び前記発光部を収納する収納ケースを更に備え、
前記第１導光板は、前記収納ケースの前面開口部を塞ぐように前記収納ケースに設けられ、
前記収納ケースには、商品に関連する情報が記載されたシート部材を挿入可能なスリットが形成されている、請求項１〜請求項６のいずれか１つに記載の自動販売機の表示装置。
【請求項１０】
前記スリットは前記収納ケースと前記第１導光板との間の隙間によって形成されている、請求項９に記載の自動販売機の表示装置。
【請求項１１】
前記収納ケースの後部には、前記収納ケースの内部と外部とを連通する連通孔が形成されている、請求項９又は請求項１０に記載の自動販売機の表示装置。
【請求項１２】
前記第１導光板の前面における位置によって、外部に出射される光の明るさが異なる、請求項１〜請求項１１のいずれか１つに記載の自動販売機の表示装置。
【請求項１３】
前記第１導光板の前面から外部に出射される光の明るさが所定方向に沿って漸次的に変化している、請求項１〜請求項１１のいずれか１つに記載の自動販売機の表示装置。
【請求項１４】
前記発光部は、
前記第１導光板の前面に配置される第２導光板と、
該第２導光板のうち前記一端面と反対の側の端面である他端面に光を入射する光源と、
前記第２導光板の通過光の少なくとも一部を反射して前記第２導光板の前面から外部に出射させる反射部と、
を更に有する、請求項１に記載の自動販売機の表示装置。
【請求項１５】
前記第１導光板の前記一端面に光を入射する光源と、前記第２導光板の前記他端面に光を入射する光源とは、互いに異なる色の光を照射する、請求項１４に記載の自動販売機の表示装置。
【発明の詳細な説明】
【技術分野】
【０００１】
本発明は、自動販売機の表示装置に関し、詳しくは、商品の販売価格等を表示する装置に関する。
【背景技術】
【０００２】
特許文献１は、缶飲料等（詳しくは、缶、びん、ＰＥＴボトル入りの飲料等）の商品を販売する自動販売機において、商品の販売価格を表示する価格表示部と、商品の冷却加温状態（冷温状態）を表示する冷温状態表示部とを備えることを開示している。冷温状態表示部は、商品が冷却状態であることを表示する領域（冷却状態表示領域）と、商品が加温状態であることを表示する領域（加温状態表示領域）とを含む。特許文献１では、価格表示部の上方に加温状態表示領域が位置し、この加温状態表示領域の上方に冷却状態表示領域が位置する、いわゆる３段表示の形態で、商品の販売価格と、商品の冷温状態とを表示している。また、特許文献１では、価格表示部及び冷温状態表示部が表示プレート及び液晶表示器により構成されている。表示プレート及び液晶表示器は、商品サンプルを並べて配置するためのサンプル取付台の前面に配置され得る。
【先行技術文献】
【特許文献】
【０００３】
【特許文献１】特開２０１０−２１８１３４号公報
【発明の概要】
【発明が解決しようとする課題】
【０００４】
しかしながら、特許文献１に記載の自動販売機のように、価格表示部の上方に冷温状態表示部が位置している場合には、価格表示部及び冷温状態表示部からなる表示装置の高さが非常に高くなり、ひいては、商品サンプルの下部が当該表示装置によって隠れかねない。また、これを避けるため、サンプル取付台の高さを高くすると、その分、商品サンプルの設置スペースが縮小されてしまうという問題があった。
また、特許文献１に記載の自動販売機では、比較的高価な液晶表示器を用いて価格表示や冷温状態表示を行うので製造コストが増大していた。
【０００５】
本発明は、このような実状に鑑み、コンパクトで且つ安価な構成で、商品の販売価格に加えて、商品の冷温状態等の商品に関連する情報を表示可能な、自動販売機の表示装置を提供することを目的とする。
【課題を解決するための手段】
【０００６】
そのため、本発明に係る自動販売機の表示装置は、商品の販売価格を表示する価格表示部と発光部とを備える。発光部は、価格表示部の前面に配置される第１導光板と、第１導光板の一端面に光を入射する光源と、第１導光板の通過光の少なくとも一部を反射して第１導光板の前面から外部に出射させる反射部とを有する。
【発明の効果】
【０００７】
本発明によれば、第１導光板が価格表示部の前面に配置され、光源からの光が反射部を介して第１導光板の前面から外部に出射される。これにより、例えば光源からの光の明るさや色を変更することで、商品に関連する情報を第１導光板の前面で表示することができるので、表示装置の高さを抑制することができる。
また本発明によれば、発光部は、第１導光板、光源、及び反射部を含んで構成される。これにより、上述のような液晶表示器を用いることなく、商品に関連する情報を第１導光板の前面で表示することができるので、表示装置の製造コストを抑制することができる。
【図面の簡単な説明】
【０００８】
【図１】本発明の第１実施形態における自動販売機の正面図
【図２】同上実施形態におけるサンプル取付台に取り付けられた表示装置の側面図
【図３】同上実施形態における表示装置の正面図、背面図、及び上面図
【図４】図３のＩ−Ｉ断面図、及びＩＩ−ＩＩ断面図
【図５】同上実施形態における表示装置の分解斜視図
【図６】同上実施形態における主制御部と表示装置との関係を示すブロック図
【図７】同上実施形態における表示装置の作動状態を示す図
【図８】同上実施形態における、プレート部材が取り付けられた表示装置を示す図
【図９】同上実施形態における、シート部材が取り付けられた表示装置を示す図
【図１０】本発明の第２実施形態における表示装置の断面図
【発明を実施するための形態】
【０００９】
以下、本発明の実施の形態について、図面を参照して説明する。
図１は、本発明の第１実施形態における自動販売機の正面図である。
【００１０】
自動販売機１は、缶飲料等（詳しくは、缶、びん、ＰＥＴボトル入りの飲料等）の商品を販売するものであり、箱形のキャビネット２と、このキャビネット２の前面開口を開閉自在に覆うメインドア３とを備えている。
【００１１】
キャビネット２内には断熱室が設けられ、この断熱室の前面開口は断熱ドアによって開閉自在に覆われている。断熱室内は断熱性仕切板によって複数の単位室に区画され、各単位室にはサーペンタインコラム等からなる商品コラムが複数設置されている。各商品コラムには缶飲料等の商品が収納されていて、各商品コラムには、販売指令に基づいて収納商品を１個宛搬出可能な商品搬出機が設けられている。
【００１２】
また、キャビネット２内には、単位室毎の商品冷却又は商品加温を可能とした冷却加温装置が設けられ、各商品コラムに収納されている商品は所定温度に冷却又は加温された状態、あるいは、冷却及び加温を行わない常温状態で販売される。
【００１３】
一方、メインドア３は前面に窓穴を有し、この窓穴は樹脂やガラス等からなる透明パネル４によって塞がれている。また、メインドア３は後面に窓穴を有し、この窓穴はサブドア５によって開閉自在に覆われている。
【００１４】
サブドア５の前面には、横長のサンプル取付台６が上下方向に間隔をおいて複数個取付けられ、各サンプル取付台６の上面には商品サンプル７が左右方向に並べて配置されている。また、各サンプル取付台６の前面には複数の表示装置１１が商品サンプル７のそれぞれに対応して設けられている。各表示装置１１は、価格表示部１２及び発光部１３を含んで構成される。尚、本実施形態では、左右方向に並ぶ６個の表示装置１１が一体形成された表示ユニット１０を例に挙げて本発明に係る表示装置を説明するが、表示ユニット１０を構成する表示装置１１の個数はこれに限らない。
【００１５】
透明パネル４の前面には、複数の商品選択ボタン１４が商品サンプル７のそれぞれに対応して設けられている。
また、メインドア３の前面には、コイン投入口１５と、返却レバー１６と、紙幣投入口１７と、表示パネル１８と、コイン返却口１９と、商品取出口２０とが設けられている。
【００１６】
次に、表示装置１１について、図２〜図５を用いて説明する。
図２は、サンプル取付台６に取り付けられた表示装置１１の側面図である。図３（Ａ）は表示装置１１の正面図である。図３（Ｂ）は表示装置１１の背面図である。図３（Ｃ）は表示装置１１の上面図である。図４（Ａ）は図３（Ａ）のＩ−Ｉ断面図である。図４（Ｂ）は図３（Ａ）のＩＩ−ＩＩ断面図である。図５（Ａ）は表示装置１１の分解斜視図である。図５（Ｂ）は、後述する導光板（第１導光板）２３に遮光テープ２２を貼付する直前の状態を示す図である。
【００１７】
表示ユニット１０を構成する各表示装置１１は、ケース部材２１、遮光テープ２２、導光板２３、シート部材２４、スモークレンズ２５、シート部材２６、複数のマグネット２７、リフレクトケース２８、基板アッシー２９、ベース部材３０によって構成されている。ここで、表示ユニット１０では、各表示装置１１の構成要素のうち、ケース部材２１と、基板アッシー２９と、ベース部材３０とが、それぞれ一体的に形成されている。
【００１８】
ベース部材３０は、白色の樹脂製（例えばポリカーボネート製）であり、横長で、前面開口の箱状である。
ベース部材３０の上面の前縁部３０ａには、上方に立ち上がる立ち上がり部３０ｂが形成されている。この立ち上がり部３０ｂには、複数のマグネット２７を各別に収容するマグネット収容部（凹部）３５が、左右方向に沿って直列に、互いに間隔を空けて形成されている。ベース部材３０の背面には、コネクタ３６を挿入するための２つの貫通孔３７が形成されている。
【００１９】
基板アッシー２９は、ベース部材３０の前面開口を塞ぐように、ベース部材３０に固定される。
基板アッシー２９は、横長で前面及び背面からなる基板３８と、ＣＰＵ（図示せず）からなる表示制御部７２（図６参照）と、複数の暖色系（例えば赤色）のＬＥＤ素子３９と、複数の寒色系（例えば青色）のＬＥＤ素子４０と、複数の７セグメントディスプレイ用のＬＥＤ素子４１と、を含んで構成される。ここにおいて、各表示装置１１は、２個の暖色系（例えば赤色）のＬＥＤ素子３９と、２個の寒色系（例えば青色）のＬＥＤ素子４０と、数字３桁分の７セグメントディスプレイ用のＬＥＤ素子４１とを備えている。また、ＬＥＤ素子３９，４０が、本発明の「光源」及び「発光素子」に対応する。
【００２０】
基板３８は、例えば、銅箔がプリントされた樹脂材料からなる。基板３８の前面にはＬＥＤ素子３９，４０，４１が実装されている。基板３８の背面には上述のＣＰＵが実装されている。また、表示ユニット１０の組み付け時には、基板３８の背面にコネクタ３６がハンダ付けされる。ここで、各表示装置１１では、基板３８の前面の下部に、左から右に向かって順に、暖色系のＬＥＤ素子３９、寒色系のＬＥＤ素子４０、寒色系のＬＥＤ素子４０、暖色系のＬＥＤ素子３９の順に、ＬＥＤ素子３９，４０が配置されている。また、基板３８の前面におけるＬＥＤ素子３９，４０の上方に、数字３桁分の７セグメントディスプレイ用のＬＥＤ素子４１が配置されている。自動販売機１内の電源（図示せず）から電力線及び基板３８を介してＬＥＤ素子３９，４０，４１の少なくとも１つに電力が供給されると、当該ＬＥＤ素子から光が照射される。
【００２１】
リフレクトケース２８は、基板３８の前面に配置されて、基板３８及びベース部材３０に固定される。リフレクトケース２８は、白色の樹脂製（例えばポリカーボネート製）であり、背面開口の箱状である。リフレクトケース２８の下部のうち、ＬＥＤ素子３９，４０に対応する位置には、貫通孔４２が形成されている。また、リフレクトケース２８の前面のうち、ＬＥＤ素子４１に対応する位置には、矩形状の凹部４３が形成されている。この凹部４３のうち、上記７セグメントディスプレイの各セグメントに対応する位置には、貫通孔４４が形成されている。
【００２２】
凹部４３には、黒色で矩形状のシート部材２６が貼付されている。シート部材２６のうち、上記７セグメントディスプレイの各セグメントに対応する部分は、透明又は半透明に形成されている。また、シート部材２６の前面のうち、３桁分の７セグメントディスプレイの左方には、例えば白色で「￥」の文字がプリントされている。
【００２３】
シート部材２６の前面には、凹部４３の前面開口を塞ぐようにスモークレンズ２５が配置されている。スモークレンズ２５は半透明である。ここで、スモークレンズ２５は、その前面がリフレクトケース２８の前面と略面一となるように、凹部４３内に配置される。
【００２４】
ここで、ＬＥＤ素子４１、リフレクトケース２８の凹部４３、貫通孔４４、シート部材２６、及びスモークレンズ２５によって、価格表示部１２の機能が実現される。
【００２５】
リフレクトケース２８の前面には、白色で矩形状のシート部材２４が貼付されている。シート部材２４は、リフレクトケース２８の前面の略全域を覆う大きさであり、その中央部には矩形状の窓穴４５が形成されている。この窓穴４５は、スモークレンズ２５に対応する位置に形成されており、凹部４３の矩形状よりも若干小さな矩形状である。
【００２６】
導光板２３は、透明な樹脂製（例えばポリカーボネート製）であり、本体部５１と延長部５２とからなる。
本体部５１は、前面及び背面からなる平板状である。本体部５１は、シート部材２４の前面及びリフレクトケース２８の前面の略全域を覆うように配置されている。
延長部５２は、本体部５１の下端部より後方に張り出している。延長部５２の後端部のうち、ＬＥＤ素子３９，４０に対応する位置には、凹部５３が形成されている。ここで、ＬＥＤ素子３９，４０は、リフレクトケース２８の貫通孔４２、及び、導光板２３の延長部５２の凹部５３内に配置されている。また、ＬＥＤ素子３９，４０は、延長部５２の後端面５２ａに光を入射する。
【００２７】
本体部５１の背面には、反射部５４（図７（Ｂ）及び（Ｃ））が形成されている。この反射部５４は、本体部５１の通過光の少なくとも一部を反射して、本体部５１の前面から外部に出射させる。反射部５４は、例えば、本体部５１の背面にシボ加工等の粗面加工を施すことで形成され得る。尚、反射部５４は、本体部５１のうち、正面視で、価格表示部１２の周囲の任意の場所に形成され得る。
【００２８】
本体部５１の上端面５５は、本体部５１の上側から下側に向かうほど前方に向かうように傾斜している。
本体部５１の通過光の少なくとも一部は、本体部５１の上端面５５から外部に出射される。これにより、本体部５１の上端面５５は斜め前方に向かって面発光することができる。
【００２９】
本体部５１の前面、及び、延長部５２の下面のうち、後方にＬＥＤ素子３９，４０が位置する部分には、遮光部材である遮光テープ２２が貼付されている。これにより、ＬＥＤ素子３９，４０から照射された光が導光板２３の延長部５２を通過して直ちに前方に出射されることを抑制することができる。
【００３０】
ここで、反射部５４を含む導光板２３、ＬＥＤ素子３９，４０、及び、リフレクトケース２８の前面（シート部材２４）によって、発光部１３の機能が実現される。
【００３１】
ケース部材２１は、白色の樹脂製（例えばポリカーボネート製）であり、横長で、背面開口の箱状である。ケース部材２１の前面には、各表示装置１１に対応する窓穴（開口部）６１が形成されている。この窓穴６１を塞ぐように、導光板２３の本体部５１が配置されている。
ケース部材２１の前面のうち、隣り合う窓穴６１同士の間の部分は、隣り合う表示装置１１同士を仕切る仕切り部６２として機能している。仕切り部６２の背面からは、図示しない仕切り壁が後方に向かって張り出している。
【００３２】
ケース部材２１は、その上端部に、傾斜面６３と水平面６４とを有する。傾斜面６３は、下方に向かうほど前方に向かうように傾斜している。傾斜面６３の上縁部に水平面６４の前縁部が連続している。
ケース部材２１の上端部は、ベース部材３０のマグネット収容部３５、及び、それに収容されたマグネット２７を、その上方から覆っている。ここで、導光板２３の傾斜した上端面５５は、外部に露出している。
ケース部材２１の傾斜面６３の下縁部は、凸部６５を介して、仕切り部６２に連続している。
【００３３】
ケース部材２１の下端部は、ベース部材３０、基板アッシー２９、リフレクトケース２８、及び、導光板２３を、その下方から覆っている。
ケース部材２１の下端部の前縁部には、そこから上方に立ち上がる立ち上がり部６６が形成されている。この立ち上がり部６６は、窓穴６１の下端部を覆うような形状である。また、立ち上がり部６６は、正面視で、商品選択ボタン１４に隠れるように、例えば、商品選択ボタン１４の形状に対応した形状で形成される。
立ち上がり部６６と、窓穴６１内に配置された導光板２３との間には、後述するシート部材８１（図９参照）を挿入可能な隙間（スリット）６７が形成されている。
【００３４】
ここで、ケース部材２１及びベース部材３０が、本発明の「収納ケース」を構成する。すなわち、ケース部材２１及びベース部材３０からなる「収納ケース」は、前面に開口部（窓穴６１）を有して価格表示部１２及び発光部１３を収納する。
【００３５】
この「収納ケース」の上側の後部には、凹部６８が形成されている。この凹部６８は、ベース部材３０の上面と立ち上がり部３０ｂの背面とによって区画形成されている。
図２に示すように、サンプル取付台６が、その本体部６ａと、本体部６ａに載置されて前端部が本体部６ａより前方に突出した上板６ｂと、からなる場合には、凹部６８内に、上板６ｂの前端部が位置し得る。また、商品サンプル７の底面の前端部は、ケース部材２１の水平面６４に接触可能である。このようにして、サンプル取付台６の前面に表示ユニット１０を配置して、商品サンプル７の前端部の下方に表示ユニット１０の後部を位置させることにより、コンパクトな構成で、商品サンプル７、サンプル取付台６及び表示ユニット１０の一体性を高めることができる。また、表示ユニット１０が商品サンプル７よりも前方に張り出す度合いを抑制することができる。
【００３６】
ケース部材２１の後側の下端部とベース部材３０の後側の下端部との間には、隙間６９が形成されている。この隙間６９が、本発明の「収納ケースの内部と外部とを連通する連通孔」として機能する。
【００３７】
次に、表示装置１１の作動について、図６及び図７を用いて説明する。
図６は、主制御部７１と表示装置１１との関係を示すブロック図である。図７は、表示装置１１の作動状態を示す図であり、図７（Ａ）は、ＬＥＤ素子３９，４０の消灯状態を示し、図７（Ｂ）は、ＬＥＤ素子３９が消灯してＬＥＤ素子４０が点灯している状態を示し、図７（Ｃ）は、ＬＥＤ素子３９が点灯してＬＥＤ素子４０が消灯している状態を示す。尚、図７（Ａ）〜（Ｃ）に示すＬＥＤ素子３９，４０については、実際には、正面視で、ケース部材２１の立ち上がり部６６に隠れているが、説明の都合上、実線で示している。
主制御部７１は、自動販売機１の各種制御を行うものであり、自動販売機１に予め設けられている。
【００３８】
オペレータが、図示しないリモコン等の入力装置に、商品サンプル７のそれぞれに対応する販売価格情報及び冷温状態情報を入力すると、これら情報に対応する信号が、図示しない信号線を介して、主制御部７１に伝達される。
主制御部７１は、図示しない信号線、及び、コネクタ３６を介して、基板３８上のＣＰＵ（表示制御部７２）に、上記信号を伝達する。
表示制御部７２は、主制御部７１からの、商品サンプル７に関連付けられた販売価格情報に基づいて、価格表示部１２（３桁分の７セグメントディスプレイ）にて、販売価格を表示させる（図７（Ａ）〜（Ｃ）参照）。
また、表示制御部７２は、主制御部７１からの、商品サンプル７に関連付けられた冷温状態情報に応じて、ＬＥＤ素子３９，４０の点灯／消灯を制御することで、発光部１３での発光状態を制御する。
【００３９】
図７（Ａ）に示すように、ＬＥＤ素子３９，４０が共に消灯している状態では、発光部１３は発光しない。このような状態は、例えば、商品を常温状態で販売する場合に採用され得る。
【００４０】
図７（Ｂ）に示すように、ＬＥＤ素子３９が消灯してＬＥＤ素子４０が点灯している状態では、ＬＥＤ素子４０から照射されて導光板２３内を通過する寒色系の光の一部が、反射部５４にて反射されて、導光板２３の前面から外部に出射される。また、導光板２３を通過する寒色系の光の一部は、導光板２３の傾斜した上端面５５から外部に出射される。これにより、発光部１３は、寒色系の色で発光する。このような状態は、例えば、商品を冷却状態で販売する場合に採用され得る。
【００４１】
図７（Ｃ）に示すように、ＬＥＤ素子３９が点灯してＬＥＤ素子４０が消灯している状態では、ＬＥＤ素子３９から照射されて導光板２３内を通過する暖色系の光の一部が、反射部５４にて反射されて、導光板２３の前面から外部に出射される。また、導光板２３を通過する暖色系の光の一部は、導光板２３の傾斜した上端面５５から外部に出射される。これにより、発光部１３は、暖色系の色で発光する。このような状態は、例えば、商品を加温状態で販売する場合に採用され得る。
【００４２】
このようにして、発光部１３での発光状態によって、商品の冷温状態の表示を行うことができるので、「つめた〜い」や「あったか〜い」等の冷温状態を示す文字表示を行うことなく、商品購入者に、商品の冷温状態を知らせることができる。
尚、本実施形態において、各表示装置１１では、左から右に向かって順に、暖色系のＬＥＤ素子３９、寒色系のＬＥＤ素子４０、寒色系のＬＥＤ素子４０、暖色系のＬＥＤ素子３９の順に、ＬＥＤ素子３９，４０が配置されているが、ＬＥＤ素子３９，４０の配置はこれに限らない。例えば、左から右に向かって順に、寒色系のＬＥＤ素子４０、暖色系のＬＥＤ素子３９、暖色系のＬＥＤ素子３９、寒色系のＬＥＤ素子４０の順に、ＬＥＤ素子３９，４０が配置されてもよい。または、左から右に向かって順に、寒色系のＬＥＤ素子４０、暖色系のＬＥＤ素子３９、寒色系のＬＥＤ素子４０、暖色系のＬＥＤ素子３９の順に、ＬＥＤ素子３９，４０が配置されてもよい。または、左から右に向かって順に、暖色系のＬＥＤ素子３９、寒色系のＬＥＤ素子４０、暖色系のＬＥＤ素子３９、寒色系のＬＥＤ素子４０の順に、ＬＥＤ素子３９，４０が配置されてもよい。
【００４３】
図７（Ｂ）及び図７（Ｃ）に示す発光部１３の発光状態では、導光板２３（本体部５１）の前面から外部に出射される光の明るさが、所定方向（図では上下方向）に沿って漸次的に変化している。詳しくは、図７（Ｂ）及び図７（Ｃ）に示す発光部１３の発光状態では、導光板２３（本体部５１）の前面から外部に出射される光の明るさが、下側から上側に向かうほど弱まるように、漸次的に変化している。すなわち、導光板２３（本体部５１）の前面における位置によって、外部に出射される光の明るさが異なっている。発光部１３における発光位置と発光の強さとは、反射部５４の構成に依存する。すなわち、導光板２３の本体部５１の背面のうち、粗面加工等が施される位置、及び、加工の度合い等を変更することにより、反射部５４での光の反射の形態が変化し、その結果、発光部１３における発光位置と発光の強さとが変更され得る。
【００４４】
ここで、価格表示部１２については、正面視で、導光板２３（本体部５１）の略中央に配置され得る。また、反射部５４は、導光板２３（本体部５１）のうち価格表示部１２の周囲の任意の場所に形成され得る。また、価格表示部１２の上端／下端と導光板２３（本体部５１）の上端／下端との間の距離に比べて、価格表示部１２の左端／右端と導光板２３（本体部５１）の左端／右端との間の距離を長くすることにより、表示装置１１の高さを抑制することができるので、表示装置１１のコンパクト化を実現することができる。
【００４５】
尚、本実施形態では、上述の「所定方向」として、上下方向を挙げて説明したが、導光板２３（本体部５１）の前面から外部に出射される光の明るさを漸次的に変化させるための基準方向はこれに限らず、例えば、上述の「所定方向」を左右方向としてもよい。
【００４６】
図８（Ａ）〜（Ｃ）は、それぞれ、プレート部材７５が取り付けられた表示装置１１を示す。
プレート部材７５は磁性材料からなる。プレート部材７５は例えば板金製である。プレート部材７５は、ケース部材２１の傾斜面６３上に配置され得る。プレート部材７５は、マグネット２７によってケース部材２１側に引き寄せられることで、ケース部材２１に固定される。すなわち、マグネット２７は、傾斜面６３に配置されるプレート部材７５を保持可能である。
【００４７】
また、ケース部材２１の凸部６５は、プレート部材７５の下端部に接触し得る。それゆえ、ケース部材２１の凸部６５は、プレート部材７５の位置決めを行う位置決め部として機能し得る。
【００４８】
図８（Ａ）に示すプレート部材７５は青色であり、その上面に「つめた〜い」の文字表示が白色等で付されている。
図８（Ｂ）に示すプレート部材７５は赤色であり、その上面に「あったか〜い」の文字表示が白色等で付されている。
図８（Ｃ）に示すプレート部材７５は白色であり、その前縁部には、山型にカットした磨りガラス状の板状部材７６が取り付けられている。この板状部材７６は、例えばアクリル樹脂製であり、導光板２３の本体部５１の傾斜した上端面５５に略連続している。これにより、上端面５５からの光が板状部材７６の下端面に入射して、板状部材７６自体も発光し得る。
【００４９】
図９は、シート部材８１が取り付けられた表示装置１１を示す図である。
シート部材８１には、販売価格の割引情報等の商品に関連する情報が記載され得る。換言すれば、シート部材８１は、いわゆるＰＯＰ広告用の広告媒体であり得る。
シート部材８１は、その下端部が、ケース部材２１の立ち上がり部６６と導光板２３との間の隙間６７に挿入され得る。
尚、シート部材８１のうち、価格表示部１２に対応する部分は、透明である。また、シート部材８１のうち、発光部１３に対応する部分は、その少なくとも一部が透明であり得る。
また、表示装置１１の故障時には、商品の販売価格や冷温状態等の商品に関連する情報が記載されたシート部材８１の下端部が、隙間６７に挿入され得る。
【００５０】
本実施形態によれば、自動販売機１の表示装置１１は、商品の販売価格を表示する価格表示部１２と発光部１３とを備える。発光部１３は、価格表示部１２の前面に配置される導光板２３（第１導光板）と、導光板２３の延長部５２の後端面５２ａ（導光板２３の下側の端面である一端面）に光を入射するＬＥＤ素子３９，４０（光源）と、導光板２３の通過光の少なくとも一部を反射して導光板２３の前面から外部に出射させる反射部５４と、を有する。これにより、例えばＬＥＤ素子３９，４０からの光の明るさや色を変更することで、商品に関連する情報を導光板２３の前面で表示することができるので、表示装置１１の高さを抑制することができる。また、特許文献１に記載のような液晶表示器を用いることなく、商品に関連する情報を導光板２３の前面で表示することができるので、表示装置１１の製造コストを抑制することができる。
【００５１】
また本実施形態によれば、光源は複数色の発光素子（暖色系のＬＥＤ素子３９及び寒色系のＬＥＤ素子４０）を含む。これにより、導光板２３の前面から外部に出射される光の色を、商品の冷温状態に対応させることができるので、コンパクトな構成で、商品の価格表示と冷温状態表示とを行うことができる。尚、光源は複数色の発光素子（暖色系のＬＥＤ素子３９及び寒色系のＬＥＤ素子４０）を含む代わりに、単数色の発光素子を含んでもよい。
【００５２】
また本実施形態によれば、導光板２３（第１導光板）の上端面５５（導光板２３の上側の端面である他端面）は、導光板２３の上側（他端側）から下側（一端側）に向かうほど前方に向かうように傾斜している。これにより、導光板２３の通過光の少なくとも一部が導光板２３の上端面５５から外部に出射されるので、この上端面５５にて面発光させることができ、ひいては、発光部１３の視認性を向上させることができる。
【００５３】
また本実施形態によれば、導光板２３（第１導光板）は、価格表示部１２の前面に配置される平板状の本体部５１と、本体部５１の下端部（一端部）より後方に張り出す延長部５２とを含み、延長部５２の後端面５２ａが導光板２３の一端面を構成して、ＬＥＤ素子３９，４０（光源）が延長部５２の後端面５２ａに光を入射する。これにより、発光部１３を構成するＬＥＤ素子３９，４０と、価格表示部１２を構成するＬＥＤ素子４１とを、同一の基板３８の前面に実装することができるので、表示装置１１の厚さ（前後方向の長さ）を抑制することができる。
【００５４】
また本実施形態によれば、導光板２３（第１導光板）には、その本体部５１の前面のうち後方にＬＥＤ素子３９，４０（光源）が位置する部分に遮光テープ２２（遮光部材）が設けられている。これにより、ＬＥＤ素子３９，４０から照射された光が導光板２３の延長部５２を通過して直ちに前方に出射されることを抑制することができる。
【００５５】
また本実施形態によれば、複数色の発光素子は暖色系のＬＥＤ素子３９と寒色系の発光素子４０とを含む。これにより、導光板２３の前面から外部に出射される光の色を、商品の冷温状態に対応させることができる。
【００５６】
また本実施形態によれば、表示装置１１は、前面に窓穴６１（開口部）を有して価格表示部１２及び発光部１３を収納する収納ケース（ケース部材２１及びベース部材３０）を備える。導光板２３（第１導光板）は、収納ケースの窓穴６１（前面開口部）を塞ぐように収納ケースに設けられる。収納ケースは、その上端部に、下方に向かうほど前方に向かうように傾斜する傾斜面６３を有する。収納ケースには、傾斜面６３に配置される磁性材料からなるプレート部材７５を保持可能なマグネット２７が設けられている。これにより、比較的簡易な構成で、表示装置１１にプレート部材７５を着脱可能に取り付けることができる。また、商品の冷温状態を示す文字表示等が付されたプレート部材７５を表示装置１１に取り付けることにより、商品購入者は、商品の冷温状態を確実に把握することができる。
【００５７】
また本実施形態によれば、収納ケース（ケース部材２１及びベース部材３０）は、プレート部材７５の位置決めを行う凸部６５（位置決め部）を有する。これにより、メインドア３の開閉時の衝撃等によって、プレート部材７５が表示装置１１から離脱することを抑制することができる。
【００５８】
また本実施形態によれば、収納ケース（ケース部材２１及びベース部材３０）には、商品に関連する情報が記載されたシート部材８１を挿入可能な隙間６７（スリット）が形成されている。これにより、商品に関する付加的な情報を、商品購入者に提供することができる。
【００５９】
また本実施形態によれば、シート部材８１が挿入され得るスリットは、ケース部材２１の立ち上がり部６６（収納ケース）と導光板２３（第１導光板）との間の隙間６７によって形成されている。これにより、比較的簡易な構成で、シート部材８１を表示装置１１に取り付けることができる。
【００６０】
また本実施形態によれば、収納ケース（ケース部材２１及びベース部材３０）の後部には、収納ケースの内部と外部とを連通する隙間６９（連通孔）が形成されている。これにより、例えば、メインドア３の開閉時に雨水が表示装置１１の隙間（スリット）６７から内部に浸入した場合や、表示装置１１の内部にて結露が発生した場合であっても、表示装置１１内の水が、隙間６９を介して外部に排出され得るので、表示装置１１内の湿気による表示装置１１の故障を抑制することができる。
【００６１】
また本実施形態によれば、導光板２３（第１導光板）の前面における位置によって、外部に出射される光の明るさが異なる（図７（Ｂ），（Ｃ）及び図８（Ｃ）参照）。これにより、発光部１３にてデザイン性の高い発光を実現することができる。
【００６２】
また本実施形態によれば、導光板２３（第１導光板）の前面から外部に出射される光の明るさが上下方向（所定方向）に沿って漸次的に変化している（図７（Ｂ），（Ｃ）参照）。これにより、発光部１３にてデザイン性の高い発光を実現することができる。
【００６３】
図１０は、本発明の第２実施形態における表示装置１１の概略構成を示す図である。
上述の第１実施形態と異なる点について説明する。
基板３８がリフレクトケース２８より上方にまで延長されており、この延長部に暖色系のＬＥＤ素子３９が実装されている。ここで、ＬＥＤ素子３９と導光板２３との間には、リフレクトケース２８の上端部２８ａが位置している。それゆえ、ＬＥＤ素子３９から導光板２３へ向かう光が、リフレクトケース２８の上端部２８ａにて遮られる。
【００６４】
発光部１３を構成する導光板（第２導光板）９０は、透明な樹脂製（例えばポリカーボネート製）であり、本体部９１と延長部９２とからなる。
本体部９１は、前面及び背面からなる平板状である。本体部９１は、導光板２３の本体部５１の前面の略全域を覆うように配置されている。
延長部９２は、本体部９１の上端部より後方に張り出している。延長部９２の後端面９２ａには、ＬＥＤ素子３９が対向している。ＬＥＤ素子３９は、延長部９２の後端面９２ａに光を入射する。
【００６５】
本体部９１の前面、及び、延長部９２の上面のうち、後方にＬＥＤ素子３９が位置する部分には、遮光部材である遮光テープ２２’が貼付されている。これにより、ＬＥＤ素子３９から照射された光が導光板９０の延長部９２を通過して直ちに前方に出射されることを抑制することができる。
【００６６】
本体部９１の背面には、図示しない反射部が形成されている。この反射部は、本体部９１の通過光の少なくとも一部を反射して、本体部９１の前面から外部に出射させる。この反射部は、例えば、本体部９１の背面にシボ加工等の粗面加工を施すことで形成され得る。尚、この反射部は、本体部９１のうち、正面視で、価格表示部１２の周囲の任意の場所に形成され得る。
【００６７】
尚、本実施形態においては、上述の第１実施形態と同様に、ケース部材２１が立ち上がり部６６、仕切り部６２、及び凸部６５を備え得る。また、立ち上がり部６６と導光板９０との間には、シート部材８１を挿入可能な隙間（スリット）６７が形成され得る。更に、ケース部材２１の後側の下端部とベース部材３０の後側の下端部との間には、隙間６９が形成され得る。
【００６８】
ＬＥＤ素子３９が消灯してＬＥＤ素子４０が点灯している状態では、ＬＥＤ素子４０から照射されて導光板２３内を通過する寒色系の光の一部が、反射部５４にて反射されて、導光板２３の前面から、導光板９０を介して、外部に出射される。これにより、発光部１３は、寒色系の色で発光する。このような状態は、例えば、商品を冷却状態で販売する場合に採用され得る。
【００６９】
一方、ＬＥＤ素子３９が点灯してＬＥＤ素子４０が消灯している状態では、ＬＥＤ素子３９から照射されて導光板９０内を通過する暖色系の光の一部が、上述の図示しない反射部にて反射されて、導光板９０の前面から外部に出射される。これにより、発光部１３は、暖色系の色で発光する。このような状態は、例えば、商品を加温状態で販売する場合に採用され得る。
【００７０】
特に本実施形態によれば、発光部１３は、導光板２３（第１導光板）の前面に配置される導光板９０（第２導光板）と、導光板９０の延長部９２の後端面９２ａ（導光板９０の下側の端面である一端面と反対の側の端面である他端面）に光を入射するＬＥＤ素子３９（光源）と、導光板９０の通過光の少なくとも一部を反射して導光板９０の前面から外部に出射させる反射部（図示せず）と、を更に有する。これにより、導光板２３の端面に光を入射する光源と異なる光源からの光を導光板９０の前面から外部に出射させることができる。さらには、導光板２３の発光部位（反射部）と導光板９０の発光部位（反射部）が、互いに異なる発光パターンを有してもよく、その場合は発光するＬＥＤ素子に応じて異なる発光図柄を表示することができる。また、ＬＥＤ素子３９、ＬＥＤ素子４０の発光色は同じでもよく、その場合はＬＥＤ素子３９あるいはＬＥＤ素子４０の発光を切り替えることにより、同じ発光色で発光する図柄を切り替えることができる。
【００７１】
また本実施形態によれば、導光板２３の延長部５２の後端面５２ａに光を入射するＬＥＤ素子４０（光源）と、導光板９０の延長部９２の後端面９２ａに光を入射するＬＥＤ素子３９（光源）とは、互いに異なる色の光を照射する。これにより、導光板２３，９０の前面（すなわち発光部１３の前面）から外部に出射される光を、商品の冷温状態に対応させることができるので、コンパクトな構成で、商品の価格表示と冷温状態表示とを行うことができる。
【００７２】
尚、本実施形態では、基板３８の下部の前面に寒色系のＬＥＤ素子４０が配置され、基板３８の延長部の前面に暖色系のＬＥＤ素子３９が配置されているが、ＬＥＤ素子３９，４０の配置はこれに限らない。例えば、基板３８の下部の前面に暖色系のＬＥＤ素子３９が配置され、基板３８の延長部の前面に寒色系のＬＥＤ素子４０が配置されてもよい。
【００７３】
また、基板３８の下部の前面と基板３８の延長部の前面との双方に、上述の第１実施形態と同様にＬＥＤ素子３９，４０を配置してもよい。この場合に、発光部１３では、例えば、導光板２３の反射部５４を介して冷温表示のグラデーション発光が行われ（図７（Ｂ）及び（Ｃ）参照）、また、導光板９０の反射部（図示せず）を介して、ＰＯＰ表示が行われ得る。
【００７４】
また、上述の第１及び第２実施形態では、発光部１３にて商品の冷温状態の表示を行っているが、発光部１３にて表示される商品に関連する情報はこれに限らない。例えば、タイムセール等の商品の割引販売時に、どの商品がセールの対象商品であるのかを商品購入者に知らせるために、当該商品に対応する表示装置１１のＬＥＤ素子３９，４０を交互に点灯することで、発光部１３から外部に向かって暖色系の光と寒色系の光とを交互に出射させることができる。また、ＬＥＤ素子３９，４０を同時に点灯してもよいことは言うまでもない。
【符号の説明】
【００７５】
１  自動販売機
２  キャビネット
３  メインドア
４  透明パネル
５  サブドア
６  サンプル取付台
６ａ  本体部
６ｂ  上板
７  商品サンプル
１０  表示ユニット
１１  表示装置
１２  価格表示部
１３  発光部
１４  商品選択ボタン
１５  コイン投入口
１６  返却レバー
１７  紙幣投入口
１８  表示パネル
１９  コイン返却口
２０  商品取出口
２１  ケース部材（収納ケース）
２２，２２’  遮光テープ
２３  導光板（第１導光板）
２４  シート部材
２５  スモークレンズ
２６  シート部材
２７  マグネット
２８  リフレクトケース
２８ａ  上端部
２９  基板アッシー
３０  ベース部材（収納ケース）
３０ａ  前縁部
３０ｂ  立ち上がり部
３５  マグネット収容部
３６  コネクタ
３７  貫通孔
３８  基板
３９，４０  ＬＥＤ素子（光源、発光素子）
４１  ＬＥＤ素子
４２  貫通孔
４３  凹部
４４  貫通孔
４５  窓穴
５１  本体部
５２  延長部
５２ａ  後端面
５３  凹部
５４  反射部
５５  上端面
６１  窓穴
６２  仕切り部
６３  傾斜面
６４  水平面
６５  凸部（位置決め部）
６６  立ち上がり部
６７  隙間（スリット）
６８  凹部
６９  隙間
７１  主制御部
７２  表示制御部
７５  プレート部材
７６  板状部材
８１  シート部材
９０  導光板（第２導光板）
９１  本体部
９２  延長部
９２ａ  後端面
【図１】
2015036949.tif 000003
【図２】
2015036949.tif 000004
【図３】
2015036949.tif 000005
【図４】
2015036949.tif 000006
【図５】
2015036949.tif 000007
【図６】
2015036949.tif 000008
【図７】
2015036949.tif 000009
【図８】
2015036949.tif 000010
【図９】
2015036949.tif 000011
【図１０】
2015036949.tif 000012